(57)【要約】      （修正有）【課題】複数の装置間で動作を継続する。【解決手段】第１の通信装置１００で動作している機能を継続して第２の通信装置２００に動作させるための動作情報を生成し、生成した動作情報を第１の通信装置１００から第２の通信装置２００へ送信し、第２の通信装置２００にて受信した動作情報に基づいて、第２の通信装置２００が機能を継続して動作させる。【選択図】図１
2012247830.tif 000002
【特許請求の範囲】
【請求項１】
２つの通信装置を具備する通信システムにおいて、
前記２つの通信装置のうち、第１の通信装置は、
当該第１の通信装置で動作している機能を継続して前記２つの通信装置のうちの当該第１の通信装置以外の第２の通信装置に動作させるための動作情報を生成する動作情報生成部と、
前記動作情報生成部が生成した前記動作情報を、前記第２の通信装置へ送信する第１の通信部とを有し、
前記第２の通信装置は、
前記第１の通信部から送信されてきた前記動作情報を受信する第２の通信部と、
前記第２の通信部が受信した前記動作情報に基づいて、前記機能を継続して動作させる機能動作部とを有する通信システム。
【請求項２】
請求項１に記載の通信システムにおいて、
前記動作情報生成部は、前記第１の通信装置で動作しているアプリケーションを継続して動作させるために前記第２の通信装置で起動させるべきアプリケーションを識別可能なアプリケーションＩＤと、現在のアプリケーションの操作状態を示す操作情報とに基づいて、前記動作情報を生成することを特徴とする通信システム。
【請求項３】
請求項１または請求項２に記載の通信システムにおいて、
前記動作情報生成部は、前記第１の通信装置で動作しているアプリケーションが接続している接続先情報に基づいて、前記動作情報を生成し、
前記機能動作部は、前記接続先情報が示す接続先に接続することを特徴とする通信システム。
【請求項４】
請求項１乃至３のいずれか１項に記載の通信システムにおいて、
前記動作情報生成部は、当該第１の通信装置が前記第２の通信装置と通信が可能な状態になったとき、前記動作情報を生成することを特徴とする通信システム。
【請求項５】
請求項１乃至４のいずれか１項に記載の通信システムにおいて、
前記第１の通信部と前記第２の通信部とは、近距離無線通信を用いて、前記動作情報の送受信を行うことを特徴とする通信システム。
【請求項６】
通信装置であって、
当該通信装置で動作している機能を継続して、他の通信装置に動作させるための動作情報を生成する動作情報生成部と、
前記動作情報生成部が生成した前記動作情報を、前記他の通信装置へ送信する通信部とを有する通信装置。
【請求項７】
通信装置であって、
当該通信装置以外の他の通信装置から送信されてきた、前記他の通信装置で動作している機能を継続して動作させるための動作情報を受信する通信部と、
前記通信部が受信した前記動作情報に基づいて、前記機能を継続して動作させる機能動作部とを有する通信装置。
【請求項８】
２つの通信装置間における状態引き継ぎ方法であって、
前記２つの通信装置のうち、第１の通信装置が、当該第１の通信装置で動作している機能を継続して前記２つの通信装置のうちの当該第１の通信装置以外の第２の通信装置に動作させるための動作情報を生成する処理と、
前記第１の通信装置が、前記生成した前記動作情報を、前記第２の通信装置へ送信する処理と、
前記第２の通信装置が、前記第１の通信装置から送信されてきた前記動作情報に基づいて、前記機能を継続して動作させる処理とを行う状態引き継ぎ方法。
【請求項９】
通信装置に、
当該通信装置で動作している機能を継続して、他の通信装置に動作させるための動作情報を生成する手順と、
前記生成した前記動作情報を、前記他の通信装置へ送信する手順とを実行させるためのプログラム。
【請求項１０】
通信装置に、
当該通信装置以外の他の通信装置から送信されてきた、前記他の通信装置で動作している機能を継続して動作させるための動作情報を受信する手順と、
前記受信した前記動作情報に基づいて、前記機能を継続して動作させる手順とを実行させるためのプログラム。
【発明の詳細な説明】
【技術分野】
【０００１】
本発明は、情報を送受信する通信システム、通信装置、状態引き継ぎ方法およびプログラムに関する。
【背景技術】
【０００２】
近年、携帯端末が進化したことで、移動中に様々なアプリケーションを楽しむことができ、時間を有効に使用できるようになった。その反面、携帯端末に具備されたディスプレイは、表示できる画面サイズが小さいため、多くの情報を表示できなかったり、所望の大きさで表示できなかったりする。また、携帯端末は筐体そのもののサイズが小さいため、情報を入力するために搭載されるキーの大きさが小さかったり、搭載されるキーの数が制限され、同じキーで異なる情報を入力しなければならなかったりして、操作性という観点においても、使い勝手が良いとは言えない。
【０００３】
一方、家庭や職場に置いてある、デスクトップ型やノート型のＰＣ（Ｐｅｒｓｏｎａｌ  Ｃｏｍｐｕｔｅｒ）においては、ディスプレイが大きく、表示可能な情報も多い。また、キーボードに具備されているキーの数も多いため、情報を入力する際の操作はし易い。その反面、携帯端末のように持ち運ぶことが困難であるため、操作する時間や場所が限られてしまう。
【０００４】
例えば、インターネットショッピングを行う際、携帯端末のディスプレイではその商品の形状が確認しづらく、また購入する際のキー操作が携帯端末の小さなキーでは操作し辛いため、ディスプレイやキーボードのサイズが大きなＰＣで閲覧、入力する方が快適である。
【０００５】
また、携帯型電子機器の電源を切断する際に、その時点での動作状態を示す情報を記憶装置に記憶しておき、その後、携帯型電子機器に電源が投入された際に、記憶装置に記憶されていた情報に基づいて携帯型電子機器が起動することで、携帯型電子機器の電源切断時の動作状態を継続することができるシステムが考えられている（例えば、特許文献１参照。）。
【先行技術文献】
【特許文献】
【０００６】
【特許文献１】特開２００１−３５０５３５号公報
【発明の概要】
【発明が解決しようとする課題】
【０００７】
ここで、移動中に携帯端末で操作した状態を、帰宅後、操作性の良いＰＣ上で再現するためには、携帯端末上で操作した手順を、ＰＣ上で再度行わなければならず、その手間がかかってしまうという問題点がある。
【０００８】
また、特許文献１に記載された技術は、利用者の利用環境を自動的に構築するものであるが、操作を継続することはできないという問題点がある。具体的には、利用者は、自動的に構築された環境の中で、再度操作を位置から行わなければならないという問題点がある。
【０００９】
本発明の目的は、上述した課題を解決する通信システム、通信装置、状態引き継ぎ方法およびプログラムを提供することである。
【課題を解決するための手段】
【００１０】
本発明の通信システムは、
２つの通信装置を具備する通信システムであって、
前記２つの通信装置のうち、第１の通信装置は、
当該第１の通信装置で動作している機能を継続して前記２つの通信装置のうちの当該第１の通信装置以外の第２の通信装置に動作させるための動作情報を生成する動作情報生成部と、
前記動作情報生成部が生成した前記動作情報を、前記第２の通信装置へ送信する第１の通信部とを有し、
前記第２の通信装置は、
前記第１の通信部から送信されてきた前記動作情報を受信する第２の通信部と、
前記第２の通信部が受信した前記動作情報に基づいて、前記機能を継続して動作させる機能動作部とを有する。
【００１１】
また、本発明の通信装置は、
当該通信装置で動作している機能を継続して、他の通信装置に動作させるための動作情報を生成する動作情報生成部と、
前記動作情報生成部が生成した前記動作情報を、前記他の通信装置へ送信する通信部とを有する。
【００１２】
また、当該通信装置以外の他の通信装置から送信されてきた、前記他の通信装置で動作している機能を継続して動作させるための動作情報を受信する通信部と、
前記通信部が受信した前記動作情報に基づいて、前記機能を継続して動作させる機能動作部とを有する。
【００１３】
また、本発明の状態引き継ぎ方法は、
２つの通信装置間における状態引き継ぎ方法であって、
前記２つの通信装置のうち、第１の通信装置が、当該第１の通信装置で動作している機能を継続して前記２つの通信装置のうちの当該第１の通信装置以外の第２の通信装置に動作させるための動作情報を生成する処理と、
前記第１の通信装置が、前記生成した前記動作情報を、前記第２の通信装置へ送信する処理と、
前記第２の通信装置が、前記第１の通信装置から送信されてきた前記動作情報に基づいて、前記機能を継続して動作させる処理とを行う。
【００１４】
また、本発明のプログラムは、
通信装置に実行させるためのプログラムであって、
当該通信装置で動作している機能を継続して、他の通信装置に動作させるための動作情報を生成する手順と、
前記生成した前記動作情報を、前記他の通信装置へ送信する手順とを実行させる。
【００１５】
また、通信装置に実行させるためのプログラムであって、
当該通信装置以外の他の通信装置から送信されてきた、前記他の通信装置で動作している機能を継続して動作させるための動作情報を受信する手順と、
前記受信した前記動作情報に基づいて、前記機能を継続して動作させる手順とを実行させる。
【発明の効果】
【００１６】
以上説明したように、本発明においては、複数の装置間で動作を継続することができる。
【図面の簡単な説明】
【００１７】
【図１】本発明の通信システムの一形態を示す図である。
【図２】図１に示した携帯端末の内部構成の一例を示す図である。
【図３】図１に示した携帯端末の詳細な内部構造の一例を示す図である。
【図４】図３に示した記憶部に記憶されたリストの一例を示す図である。
【図５】図１に示したＰＣの内部構成の一例を示す図である。
【図６】図１に示したＰＣの詳細な内部構造の一例を示す図である。
【図７】図１に示した通信システムにおける状態引き継ぎ方法の一例を説明するためのシーケンス図である。
【発明を実施するための形態】
【００１８】
以下に、本発明の実施の形態について図面を参照して説明する。
【００１９】
図１は、本発明の通信システムの一形態を示す図である。
【００２０】
本形態は図１に示すように、携帯端末１００と、ＰＣ２００とが設けられている。
【００２１】
携帯端末１００は、ＰＣ２００との間で通信が可能な第１の通信装置であって、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機等の携帯可能な（操作する時間や場所に限られることなく使用可能な）モバイル機器である。
【００２２】
ＰＣ２００は、携帯端末１００との間で通信が可能な第２の通信装置であって、大きなディスプレイ、一般的なキーボードやマウス等が具備されたノート型やデスクトップ型ＰＣであり、家庭や会社等の中で使用する装置である。
【００２３】
図２は、図１に示した携帯端末１００の内部構成の一例を示す図である。
【００２４】
図１に示した携帯端末１００には図２に示すように、動作情報生成部１１０と、通信部１２０とが設けられている。
【００２５】
動作情報生成部１１０は、携帯端末１００で動作している機能（アプリケーション）を継続してＰＣ２００に動作させるための動作情報を生成する。この動作情報は、現在動作しているアプリケーションを継続して動作させるためにＰＣ２００で起動させるべきアプリケーションを識別可能にあらかじめ固有に付与されたアプリケーションＩＤと、アプリケーションの現在の操作状態を示す操作情報とに基づいて、生成されるものであり、ＰＣ２００がこの動作情報に基づいて、動作を継続することができる情報である。このとき、動作情報は、アプリケーションＩＤと操作情報とを含む情報であっても良いし、アプリケーションＩＤと操作情報とを所定の情報に変換（例えば、暗号化等）して動作情報を生成するものであっても良く、ＰＣ２００にて当該動作情報からアプリケーションＩＤと操作情報とが認識できる情報であれば良い。また、操作情報は、例えば、あるサイトを閲覧している場合、接続先を示す接続先情報であるＵＲＬ（Ｕｎｉｆｏｒｍ  Ｒｅｓｏｕｒｃｅ  Ｌｏｃａｔｏｒ）情報を含むものであっても良い。また、操作情報には、そのアプリケーションにおける操作履歴（閲覧ＵＲＬの履歴や文字変換の履歴等）が含まれるものであっても良い。
【００２６】
また、動作情報生成部１１０は、携帯端末１００とＰＣ２００とが通信可能な状態になったとき、動作情報を生成する。
【００２７】
通信部１２０は、動作情報生成部１１０が生成した動作情報を、ＰＣ２００へ送信する第１の通信部である。また、通信部１２０は、近距離無線通信（ＮＦＣ（Ｎｅａｒ  Ｆｉｅｌｄ  Ｃｏｍｍｕｎｉｃａｔｉｏｎ）等）を用いて、動作情報を送信する。通信部１２０が、ＩＣ通信を用いて動作情報をＰＣ２００へ送信する場合、ＰＣ２００に設けられた所定の対応部分に利用者が通信部１２０をかざすことで、ＰＣ２００との間でＩＣ通信を行う。また、通信部１２０は、ＰＣ２００との間で通信ができる状態になった際、その旨を動作情報生成部１１０へ通知する。ここで、通信部１２０がＰＣ２００との間で通信ができる状態になったかどうかは、ＩＣ通信等の近距離無線通信の規定のシーケンスに基づいて判定すれば良い。
【００２８】
図３は、図１に示した携帯端末１００の詳細な内部構造の一例を示す図である。
【００２９】
図１に示した携帯端末１００には図３に示すように、動作情報生成部１１０と、通信部１２０と、制御部１３０と、表示部１４０と、記憶部１５０とが設けられている。
【００３０】
制御部１３０は、携帯端末１００全体を制御し、利用者からの操作に応じたアプリケーションを実行する。また、実行しているアプリケーションに基づいた画面を、表示部１４０に表示させる。
【００３１】
表示部１４０は、画面を表示する一般的なディスプレイである。
【００３２】
動作情報生成部１１０は、図２に示したものと同じであり、制御部１３０が実行しているアプリケーションを継続してＰＣ２００に動作させるための動作情報を生成する。
【００３３】
通信部１２０は、図２に示したものと同じである。
【００３４】
記憶部１５０は、動作情報生成部１１０が動作情報を生成するためのアプリケーションの情報をリストとしてあらかじめ記憶する。
【００３５】
図４は、図３に示した記憶部１５０に記憶されたリストの一例を示す図である。
【００３６】
図３に示した記憶部１５０には図４に示すように、アプリケーション名とアプリケーションＩＤとが対応付けられて記憶されている。
【００３７】
アプリケーション名は、携帯端末１００にて動作するアプリケーションの名称である。ここで、アプリケーション名の代わりに、携帯端末１００にて動作するアプリケーションを識別可能な識別情報を用いるものであっても良い。
【００３８】
アプリケーションＩＤは、ＰＣ２００で起動すべきアプリケーションを識別可能な情報であり、当該アプリケーションにあらかじめ固有に付与されたものである。ここで、アプリケーションＩＤの代わりに、ＰＣ２００で起動するアプリケーションの名称を用いるものであっても良く、ＰＣ２００にて起動すべきアプリケーションを識別できるものであれば良い。
【００３９】
例えば図４に示すように、アプリケーション名「アプリケーションＡ」とアプリケーションＩＤ「Ａ０００１」とが対応付けられて記憶されている。この対応付けから、携帯端末１００内でアプリケーションＡが動作している場合、携帯端末１００からＰＣ２００へ送信される動作情報を生成するために用いられるアプリケーションＩＤは「Ａ０００１」となる。また、アプリケーション名「アプリケーションＢ」とアプリケーションＩＤ「Ｂ０００５」とが対応付けられて記憶されている。この対応付けから、携帯端末１００内でアプリケーションＢが動作している場合、携帯端末１００からＰＣ２００へ送信される動作情報を生成するために用いられるアプリケーションＩＤは「Ｂ０００５」となる。また、アプリケーション名「アプリケーションＣ」とアプリケーションＩＤ「Ｃ１００１」とが対応付けられて記憶されている。この対応付けから、携帯端末１００内でアプリケーションＣが動作している場合、携帯端末１００からＰＣ２００へ送信される動作情報を生成するために用いられるアプリケーションＩＤは「Ｃ１００１」となる。
【００４０】
例えば、「アプリケーションＡ」は、携帯端末１００で動作するブラウザの名称である場合、「Ａ０００１」は、ＰＣ２００で動作するブラウザの識別情報である。
【００４１】
なお、記憶部１５０に記憶されている対応付けは、外部から編集・追加可能である。
【００４２】
図５は、図１に示したＰＣ２００の内部構成の一例を示す図である。
【００４３】
図１に示したＰＣ２００には図５に示すように、通信部２１０と、機能動作部２２０とが設けられている。
【００４４】
通信部２１０は、携帯端末１００から送信されてきた動作情報を受信する第２の通信部である。また、通信部２１０は、近距離無線通信を用いて、動作情報を受信する。
【００４５】
機能動作部２２０は、通信部２１０が受信した動作情報に基づいて、機能を継続して動作させる。ここで、機能動作部２２０は、アプリケーションＩＤと操作情報とを動作情報から復元（抽出）し、当該操作情報に基づいて、当該アプリケーションＩＤが示すアプリケーションを起動する。例えば、アプリケーションＩＤが、あるブラウザを示すものであり、操作情報がＵＲＬ情報である場合、当該ＵＲＬ情報が示す接続先に接続してブラウザを起動する。
【００４６】
図６は、図１に示したＰＣ２００の詳細な内部構造の一例を示す図である。
【００４７】
図１に示したＰＣ２００には図６に示すように、通信部２１０と、機能動作部２２０と、表示部２３０とが設けられている。
【００４８】
表示部２３０は、画面を表示する一般的なディスプレイである。
【００４９】
機能動作部２２０は、図５に示したものと同じであり、通信部２１０が受信した動作情報に基づいて、機能を継続してアプリケーションを起動し、当該アプリケーションの動作に基づいた画面を、表示部２３０に表示させる。
【００５０】
通信部２１０は、図５に示したものと同じである。
【００５１】
以下に、図１に示した通信システムにおける状態引き継ぎ方法について説明する。
【００５２】
図７は、図１に示した通信システムにおける状態引き継ぎ方法の一例を説明するためのシーケンス図である。
【００５３】
携帯端末１００の制御部１３０にてアプリケーションが動作しているとき（ステップＳ１）、通信部１２０が通信部２１０との間で通信が可能かどうかを判定する（ステップＳ２）。この判定方法は、上述した通りである。
【００５４】
通信部１２０が、通信部２１０との間で通信が可能であると判定した場合、動作情報生成部１１０が動作情報を生成する（ステップＳ３）。具体的には、動作情報生成部１１０は、制御部１３０で現在実行されているアプリケーションのアプリケーション名に基づいて、ＰＣ２００にて起動すべきアプリケーションのアプリケーションＩＤを記憶部１５０から検索し、検索されたアプリケーションＩＤと操作情報とに基づいて、動作情報を生成する。
【００５５】
例えば、利用者が、購入したい製品を検索するために携帯端末１００にてブラウザを起動して、製品を検索・購入できるサイトへアクセスしている場合、そのサイトで販売されている商品が表示部１４０に表示されている状態で、利用者が携帯端末１００を通信部１２０と通信部２１０とが通信可能な位置に置くと、動作情報生成部１１０が、ＰＣ２００がそのサイトへアクセスするためのアプリケーションＩＤと、操作情報となる表示部１４０に現在表示されているページの接続先となるＵＲＬ情報とに基づいて、動作情報を生成する。ここで、通信部１２０と通信部２１０とが通信可能な位置とは、一般的に携帯端末を用いてレジや自動販売機で精算を行う際に携帯端末をかざすためのマークが表示されている位置であっても良く、通信部１２０から送信された情報を受信する通信部２１０が配置された位置である。
【００５６】
動作情報が生成されると、通信部１２０が当該動作情報をＰＣ２００へ送信する（ステップＳ４）。
【００５７】
通信部１２０から送信されてきた動作情報を通信部２１０が受信すると（ステップＳ５）、動作情報の中のアプリケーションＩＤと操作情報とに基づいて、機能動作部２２０がアプリケーションを起動して、継続動作を行う（ステップＳ６）。このとき、機能動作部２２０がＯＳ（Ｏｐｅｒａｔｉｏｎ  Ｓｙｓｔｅｍ）から構成される場合、通信部２１０は機能動作部２２０に対して割り込み通知を行い、機能動作部２２０が該当するアプリケーションを起動するものであっても良い。
【００５８】
例えば、ブラウザを示すアプリケーションＩＤと、上述した検索・購入できるサイトへ接続するためのＵＲＬ情報とに基づいた動作情報を受信した場合、機能動作部２２０はブラウザを起動し、当該ＵＲＬ情報が示す接続先へ接続して、携帯端末１００の表示部１４０に表示されていた検索画面を表示部２３０が表示する。
【００５９】
このとき、ＰＣ２００で携帯端末１００から送信されてきたアプリケーションＩＤに該当するアプリケーションが見つからない場合、ＰＣ２００が所定のサイトからダウンロードしてインストールしても良い。
【００６０】
このように、本発明においては、操作画面の転送だけでなく、アプリケーションの操作情報を、動作情報として転送し、携帯端末１００で操作していた「状態」をＰＣ２００へ引き継ぐことで、操作を継続することができる。操作情報に、操作履歴を含ませることで、閲覧していたページや、入力情報、予測文字候補も引き継ぐことができる。つまり、携帯端末１００の操作状態をＰＣ２００で簡単に再現させることで、状況に合わせて通信装置を使い分けることができると共に、操作をシームレスに継続させることができ、利用者の利便性を向上させることができる。
【００６１】
また、携帯端末１００で起動していたアプリケーションは、全てＰＣ２００でも起動し、アプリケーション同士でつながりがある場合は、そのつながりを維持した状態で操作環境を再現するものであっても良い。例えば、電子メールを用いて届いた案内をスケジュールに登録しようとして、メーラーからスケジューラを連携して起動・操作している場合は、そのつながりや操作履歴を保持したままＰＣ２００で再現する。
【００６２】
また、ＰＣ２００で行った操作を、同様の処理で携帯端末１００へ引き継ぐことも可能である。
【００６３】
また、携帯端末１００で音楽を再生中の状態で、同様の処理で、ＰＣ２００に操作状態を再現させるものであっても良い。ここで、携帯端末１００では音楽再生プレイヤーで音楽の再生をしている状態でＰＣ２００へ操作を引き継ぐとき、ＰＣ２００では、音楽再生以外の機能を付加した状態で再現するものであっても良い。例えば、再生中の楽曲を検索し、その楽曲に関する映像を所定のサイトからダウンロードし、ダウンロードされた映像を表示部２３０が表示しながら音楽を再生するものであっても良い。
【００６４】
また、携帯端末１００に保存した画像を、スライドショー機能を用いて表示部１４０に表示している状態を、同様の処理で、ＰＣ２００に再現させるものであっても良い。このとき、携帯端末１００では２Ｄ（２−Ｄｉｍｅｎｓｉｏｎｓ）表示にとどまっていても、ＰＣ２００では３Ｄ（３−Ｄｉｍｅｎｓｉｏｎｓ）エフェクトをかけて表示するものであっても良い。
【００６５】
また、全体の再現でなく、部分的な再現を行うものであっても良い。
【００６６】
なお、第１の通信装置が携帯端末１００であり、第２の通信装置がＰＣ２００である場合を例に挙げて説明したが、第１の通信装置と第２の通信装置との双方が携帯端末であっても良いし、ＰＣであっても良い。
【００６７】
上述した携帯端末１００、ＰＣ２００にそれぞれ設けられた各構成要素が行う処理は、目的に応じてそれぞれ作製された論理回路で行うようにしても良い。また、処理内容を手順として記述したコンピュータプログラム（以下、プログラムと称する）を携帯端末１００、ＰＣ２００それぞれにて読取可能な記録媒体に記録し、この記録媒体に記録されたプログラムを携帯端末１００、ＰＣ２００それぞれに読み込ませ、実行するものであっても良い。携帯端末１００、ＰＣ２００にて読取可能な記録媒体とは、フロッピー（登録商標）ディスク、光磁気ディスク、ＤＶＤ、ＣＤなどの移設可能な記録媒体の他、携帯端末１００、ＰＣ２００それぞれに内蔵されたＲＯＭ、ＲＡＭ等のメモリやＨＤＤ等を指す。この記録媒体に記録されたプログラムは、携帯端末１００、ＰＣ２００それぞれに設けられたＣＰＵ（不図示）にて読み込まれ、ＣＰＵの制御で、上述したものと同様の処理が行われる。ここで、ＣＰＵは、プログラムが記録された記録媒体から読み込まれたプログラムを実行するコンピュータとして動作するものである。
【符号の説明】
【００６８】
１００    携帯端末
１１０    動作情報生成部
１２０，２１０    通信部
１３０    制御部
１４０，２３０    表示部
１５０    記憶部
２００    ＰＣ
２２０    機能動作部
【図１】
2012247830.tif 000003
【図２】
2012247830.tif 000004
【図３】
2012247830.tif 000005
【図４】
2012247830.tif 000006
【図５】
2012247830.tif 000007
【図６】
2012247830.tif 000008
【図７】
2012247830.tif 000009